(57)【要約】【課題】  たばこを装置内に自動的に供給して装着することができると共に装置内の構造を簡素化することができ、延いては製造コストを低減することができるたばこの煙発生装置を提供する。【解決手段】  本発明のたばこの煙発生装置１０は、たばこ収納容器１１と、たばこ収納容器１１から１本ずつ自然落下するたばこＣが嵌るスリット１２Ａを複数有する回転体１２と、回転体１２を所定角度ずつ間欠的に回転させる駆動機構１３と、回転体１２のスリット１２Ａ内のたばこＣを支承する支承体１４と、スリット１２Ａがたばこ収納容器１１から１２０°だけ回転した位置でスリット１２Ａ内のたばこＣを着火するたばこ着火装置１５と、たばこＣ内に空気を吸入し煙を外部へ排出するファン１６と、を備えている。【選択図】図１
2018132419.tif 000002
【特許請求の範囲】
【請求項１】
たばこを燃焼させて煙を発生させる煙発生装置であって、
複数本のたばこを収納し且つ上記たばこを一本ずつ自然落下させる落下口を有するたばこ収納容器と、
上記たばこ収納容器から落下する上記たばこが嵌る複数のスリットが円板の中央凹部を囲んで周方向に所定角度ずつ空けて放射状に形成された回転体と、
上記回転体を所定角度ずつ間欠的に回転させる駆動機構と、
上記回転体の下面側に配置されて上記スリットに嵌る上記たばこを支承し且つ円板状の外径が段階的に小さくなる部分を複数有する支承体と、
上記各スリットが上記駆動機構を介して上記たばこ収納容器から所定角度だけ回転した位置で上記スリットに嵌った上記たばこの先端に対して進退動可能に配置された加熱部を有するたばこ着火装置と、
上記各スリットと上記中央凹部との間を貫通する流路を介して上記たばこ着火装置によって着火された上記たばこに空気を吸引して上記たばこから発生する煙を上記中央凹部から外部へ排出する空気吸排装置と、を備えた
ことを特徴とするたばこの煙発生装置。
【請求項２】
上記支承体の外径が段階的に小さくなった各部分から落下する上記たばこの灰を受ける灰受けを備えたことを特徴とする請求項１に記載のたばこの煙発生装置。
【請求項３】
上記たばこのフィルタに気体を吹き付けて上記支承体から上記灰受けに上記フィルタを落下させるフィルタ除去装置を備えたことを特徴とする請求項１または請求項２に記載のたばこの煙発生装置。
【請求項４】
上記各スリットに嵌った上記たばこを遮蔽する遮蔽体を上記回転体の上面側に設けたことを特徴とする請求項１〜請求項３のいずれか１項に記載のたばこの煙発生装置。
【発明の詳細な説明】
【技術分野】
【０００１】
本発明は、たばこを燃焼させて煙を微小粒子状物質として発生させるたばこの煙発生装置に関し、更に詳しくは、例えば、空気清浄機の微小粒子状物質の除去性能試験に好適に用いることができるたばこの煙発生装置に関する。
【背景技術】
【０００２】
この種のたばこの煙発生装置は、例えば特許文献１に記載のものが知られている。このたばこの煙発生装置は、例えば動物実験を行う場合に、たばこの煙を発生させ、この煙を動物実験室に供給するようにしている。このたばこの煙発生装置は、垂直に設けられた円形状の回転テーブルと、回転テーブルの軸心を囲むように同一円に周方向に所定間隔を空けて配列されてたばこを水平に保持する複数の保持手段と、垂直方向の回転テーブルの最下点で保持手段によって保持されたたばこを着火する電気ヒータと、着火後のたばこに空気を吸引して煙を発生させるエゼクタポンプと、回転テーブルを所定角度ずつ回転させて回転テーブルに装着された複数のたばこをエゼクタポンプに対して順次位置決めする駆動モータと、エゼクタポンプを介して吸引される煙を所定の場所へ導く煙誘導手段と、燃焼後のたばこを保持手段から排出する排出棒と、を備えている。
【０００３】
このたばこの煙発生装置を使用する場合には、回転テーブルの保持手段に対してたばこを必要本数だけ１本ずつ手で装着した後、この回転テーブルを所定位置に垂直に装着した後、たばこの煙発生装置を駆動させる。たばこの煙発生装置が駆動モータによって駆動して回転テーブルを所定角度だけ回転させてたばこを電気ヒータに位置決めし、電気ヒータでたばこに着火する。引き続き、エゼクタポンプが間欠的に駆動してたばこ内に空気を間欠的に吸引して煙を発生させ、その煙を、煙誘導手段を介して所定の場所へ導く。たばこが燃焼した後には、駆動モータを介して回転テーブルを所定角度だけ回転させ、次のたばこをエゼクタポンプに位置合わせて燃焼させると共に燃焼後に残ったフィルタを保持手段から排出棒を用いて排出する。
【０００４】
この種のたばこの煙発生装置は、動物実験の他、例えばたばこの煙の成分分析や空気清浄機の煙等の微小粒子状物質に対する除去性能試験等に用いられる。例えば空気清浄機による煙等の微小粒子状物質に対する除去試験を行う場合には、たばこの煙発生装置を所定の空間内に設置し、その中で複数本のたばこを燃焼させて所定量の煙を発生させ、家庭用空気清浄機による煙の除去性能を測定する。この除去性能試験は、例えば日本電機工業規格ＪＥＭ１４６７において予め定められた条件で実施される。
【０００５】
【特許文献１】特開２００１−２４２０４６号
【発明の開示】
【発明が解決しようとする課題】
【０００６】
しかしながら、従来のたばこの煙発生装置は、回転テーブルの保持手段にたばこを装着する場合にはその都度手で１本ずつ保持手段に装着しなくてはならず、たばこの装着が面倒であり、また、たばこの保持手段とエゼクタポンプを接続するためこれら両者の接続部の構造が複雑であるばかりか、たばこの保持手段にエゼクタポンプを接続する時にエゼクタポンプを保持手段に対して進退動させる駆動機構、更には保持手段からたばこを排出する排出棒の駆動機構が複雑であり、それだけコスト高になっていた。
【０００７】
本発明は、上記課題を解決するためになされたもので、たばこを自然落下させるだけでたばこをその保持部に自動的に供給することができると共に装置本体の構造を簡素化することができ、延いては装置の製造コストを低減することができるたばこの煙発生装置を提供することを目的としている。
【課題を解決するための手段】
【０００８】
本発明の請求項１に記載のたばこの煙発生装置は、たばこを燃焼させて煙を発生させる煙発生装置であって、複数本のたばこを収納し且つ上記たばこを一本ずつ自然落下させる落下口を有するたばこ収納容器と、上記たばこ収納容器から落下する上記たばこが嵌る複数のスリットが円板の中央凹部を囲んで周方向に所定角度ずつ空けて放射状に形成された回転体と、上記回転体を所定角度ずつ間欠的に回転させる駆動機構と、上記回転体の下面側に配置されて上記スリットに嵌る上記たばこを支承し且つ円板状の外径が段階的に小さくなる部分を複数有する支承体と、上記各スリットが上記駆動機構を介して上記たばこ収納容器から所定角度だけ回転した位置で上記スリットに嵌った上記たばこの先端に対して進退動可能に配置された加熱部を有するたばこ着火装置と、上記各スリットと上記中央凹部との間を貫通する流路を介して上記たばこ着火装置によって着火された上記たばこに空気を吸引して上記たばこから発生する煙を上記中央凹部から外部へ排出する空気吸排装置と、を備えたことを特徴とするものである。
【０００９】
また、本発明の請求項２に記載のたばこの煙発生装置は、請求項１に記載の発明において、上記支承体の外径が段階的に小さくなった各部分から落下する上記たばこの灰を受ける灰受けを備えたことを特徴とするものである。
【００１０】
また、本発明の請求項３に記載のたばこの煙発生装置は、請求項１または請求項２に記載の発明において、上記たばこのフィルタに気体を吹き付けて上記支承体から上記灰受けに上記フィルタを落下させるフィルタ除去装置を備えたことを特徴とするものである。
【００１１】
また、本発明の請求項４に記載のたばこの煙発生装置は、請求項１〜請求項３のいずれか１項に記載の発明において、上記各スリットに嵌った上記タバコを遮蔽する遮蔽体を上記回転体の上面側に設けたことを特徴とするものである。
【発明の効果】
【００１２】
本発明によれば、たばこを自然落下させるだけでたばこをその保持部に自動的に供給することができると共に装置本体の構造を簡素化することができ、延いては装置の製造コストを低減することができるたばこの煙発生装置を提供することができる。
【図面の簡単な説明】
【００１３】
【図１】（ａ）、（ｂ）はそれぞれ本発明のたばこの煙発生装置の一実施形態を示す図で、（ａ）は要部を示す平面図、（ｂ）は要部を示す側面図である。
【図２】図１に示す回転体を取り出して示す平面図である。
【図３】図１に示す回転体を駆動させる駆動機構の要部を示す断面図である。
【図４】（ａ）、（ｂ）はそれぞれ図３に示す駆動機構の要部を示す図で、（ａ）はその平面図、（ｂ）その断面図である。
【図５】図１に示す支承体を取り出して示す平面図である。
【図６】図１に示す遮蔽体を取り出して示す平面図である。
【図７】(ａ)〜（ｃ）はそれぞれ図１に示す着火装置を示す図で、（ａ）はその側面図、（ｂ）はその背面図、（ｃ）はその正面図である。
【図８】（ａ）、（ｂ）はそれぞれ図１に示す灰皿を中心に示す図で、（ａ）はその平面図、（ｂ）はその側面図である。
【発明を実施するための形態】
【００１４】
以下、図１〜図８を参照しながら本発明の一実施形態について説明する。
本実施形態のたばこの煙発生装置（以下、単に「煙発生装置」と称す。）１０は、例えば図１の（ａ）、（ｂ）に示すように、複数本のたばこＣを収納するたばこ収納容器１１と、たばこ収納容器１１の真下に配置され且つたばこ収納容器１１から１本ずつ落下するたばこＣが嵌る複数のスリット１２Ａが中央凹部１２Ｂ（図２参照）を放射状に囲んで形成された円板状の回転体１２と、回転体１２を所定角度ずつ間欠的に回転させる駆動機構１３と、回転体１２の下面側に固定配置されてスリット１２Ａに嵌ったたばこＣを支承する支承体１４と、スリット１２Ａが駆動機構１３を介してたばこ収納容器１１から所定角度だけ回転した位置でスリット１２Ａに嵌ったたばこＣの先端と対向する位置に進退動可能に配置された加熱部１５Ａ１（図７参照）を有するたばこ着火装置１５と、各スリット１２Ａと中央凹部１２Ｂの間で回転体１２を貫通する流路１２Ｃを介してたばこＣ内に空気を吸入し中央凹部１２Ｂを経由して煙を外部へ排出する空気吸排装置（例えば、ファン）１６と、を備え、これらの各部材は基台１７上に設けられている。基台１７の下面には例えばキャスター（図示せず）が取り付けられ、煙発生装置１０が自由に移動できるように構成されている。
【００１５】
たばこ収納容器１１は、図１（ａ）、（ｂ）に示すように、例えば平面形状の縦がたばこＣの１本分の長さに形成されていると共に横がたばこＣの直径分の長さに形成され、高さが複数本のたばこＣを上下方向に積層して収納する薄い矩形状の容器として形成されている。たばこ収納容器１１の下面にはたばこＣが自然落下する落下口（図示せず）が形成され、上面にはたばこの投入口が形成されている。たばこ収納容器１１の投入口には蓋が取り付けられる構造であってもそうでなくても良い。このたばこ収納容器１１は、同図に示すように支持板１８上に立設された支持体１９によって回転体１２のスリット１２Ａの真上に直立した状態で支持されている。
【００１６】
また、回転体１２は、図２に示すように、放射状に形成された６箇所のスリット１２Ａと、これらのスリット１２Ａによって囲まれた中央凹部１２Ｂと、を有している。スリット１２Ａは、その幅がたばこＣの直径よりやや広く、その長さがたばこＣより少し短く形成されている。従って、たばこ収納容器１１から自然落下したたばこＣはスリット１２Ａ内に嵌り、たばこＣの外端がスリット１２Ａからはみ出す長さになっている。また、回転体１２にはスリット１２Ａの内端面と中央凹部１２Ｂとの間に流路１２Ｃが形成されている。回転体１２の上面の中央部には図３に示すようにファン１６を支持する支持台２０が設けられている。
【００１７】
支持台２０は、図３に示すように、上面に中央孔２０Ａ１を有し下端が開口する円筒状本体２０Ａと、円筒状本体２０Ａの上面に配置された且つ中央孔を有する載置板２０Ｂ（図１参照）と、円筒状本体２０Ａ、載置板２０Ｂの中央孔２０Ａ１から垂下し回転体１２に接触する流通管路２０Ｃと、を有している。支持台２０は、円筒状本体２０Ａと流通管路２０Ｃが軸心を共有し、回転体１２に対して載置されように構成されている。流通管路２０Ｃの内径は回転板１２の中央凹部１２Ｂの直径と実質的に同一大きさに形成されている。また、支持台２０は、図１に示すように、載置板２０Ｂが支持板１８上に立設された支柱２１に連結棒２１Ａを介して連結されて回転体１２上に固定されている。
【００１８】
従って、ファン１６が駆動すると、ファン１６が燃えるたばこＣから空気を吸引し、回転体１２の流路１２Ｃ、流通管路２０Ｃを介して吸引した空気を外部へ排気する。
【００１９】
また、図３に示すように流通管路２０Ｃは回転体１２の中央部に立設された筒体１２Ｄによって包囲され、流通管路２０Ｃと筒体１２Ｄとの間にはスリーブ１２Ｅが設けられている。筒体１２Ｄの上面とスリーブ１２Ｅの上面は面一に形成され、スリーブ１２Ｅと筒状本体２０Ａの上面との間に高さ調整リング２０Ｄが介在している。この高さ調整リング２９Ｄの厚みで筒状本体２０Ａと回転体１２の隙間を調整するようになっている。筒体１２Ｄとスリーブ１２Ｅは回転体１２と一体化しており、回転体と一緒に回転するようになっている。
【００２０】
筒状本体２０Ａの下端には回転体１２のスリット１２Ａ内に収納されたたばこＣを被う被覆体２２（図１の（ａ）、図３及び図６参照）が内縁部で連結されている。この被覆体２２は、支承体１４のたばこ収納容器１１の真下から少し時計方向に偏倚した位置から時計方向に廻って支承体１４の切欠き部１４Ｃの近傍まで被う幅広の円弧状のプレートとして形成されている。被覆体２２によって回転体１２のスリット１２Ａ内に収納されるたばこＣのフィルタ部分を被覆することにより、たばこＣをスリット１２Ａから回転体１２の上面にはみ出さないように確実に拘束し、たばこＣの葉が確実に燃焼して煙を発生するようにしてある。
【００２１】
また、駆動機構１３は、図１に示すように、モータ及び減速機を有する駆動源１３１と、駆動源１３１に回転軸１３２（図３、図４の（ｂ）参照）を介して連結されたゼネバギヤ１３３と、ゼネバギヤ１３３を介して駆動軸１３２の駆動力が伝達される従動軸１３４と、を有し、従動軸１３４の上端が図３に示すように支持板１８の貫通孔１８Ａを貫通し、回転体１２の下面中央部に連結されて構成されている。尚、貫通孔１８Ａにはフランジ付きの筒体２３が取り付けられ、筒体２３によって駆動軸１３４を保護している。
【００２２】
ゼネバギヤ１３３は、図３、図４の（ａ）、（ｂ）に示すように、駆動軸１３２によって回転する原動車１３３Ａと、原動車１３３Ａの回転により間欠的に所定角度（本実施形態では６０°）ずつ回転する従動車１３３Ｂと、を有し、原動車１３３Ａが一回転する毎に従動車１３３Ｂが６０°（１／６回転）ずつ回転するように構成されている。
【００２３】
即ち、図４に示すように、原動車１３３Ａの周縁部には一つのローラ１３３Ａ１が設けられ、原動車１３３Ａの上面中央部には原動車１３３Ａの軸心を中心とする円弧状突起１３３Ａ２が形成されている。従動車１３３Ｂの軸心には従動軸１３４の下端部が貫通する中央孔１３３Ｂ１が形成され、この中央孔１３３Ｂ１を中心にして６つのローラ用スリット１３３Ｂ２がそれぞれ周方向に６０°隔てて放射状に形成されていると共に隣同士のローラ用スリット１３３Ｂ２の間にはそれぞれ円弧状の切欠き部１３３Ｂ３が６箇所に形成されている。切欠き部１３Ｂ３は原動車１３３Ａの円弧状突起１３３Ａ２の外径と実質的に同一径に形成され、これら両者が互いに係合するようになっている。原動車１３３Ａ及び従動車１３３Ｂの中央孔には駆動軸１３２及び従動軸１３４がそれぞれ連結されている。
【００２４】
従って、原動車１３３Ａが駆動軸１３２を介して回転すると、原動車１３３Ａのローラ１３３Ａ１が図４の（ａ）に示すように従動車１３３Ｂのローラ用スリット１３３Ｂ２に嵌入した後仮想線の位置まで矢印Ａ方向に回転し、従動車１３３Ｂがこの間に６０°だけ矢印Ｂ方向に回転する。引き続き、原動車１３３Ａのローラ１３３Ａ１が仮想線位置から実線位置まで矢印Ａ方向に回転する間に円弧状突起１３３Ａ２が従動車１３３Ｂの切欠き部１３３Ｂ３を摺動し、従動車１３３Ｂは停止状態を維持する。このように原動車１３３Ａが一回転する毎に従動車１３３Ｂが間欠的に６０°ずつ回転し、延いては従動軸１３４を介して回転体１２が６０°ずつ間欠的に回転する。原動車１３３Ａの回転速度は、たばこＣから発生する煙の単位時間の発生量に即して適宜設定することができる。
【００２５】
また、図５に示すように、仮想線で示す回転体１２の下面側には外径が回転体１２と同一径に形成された支承体１４が配置、固定され、この支承体１４によって回転体１２のスリット１２Ａ内に収納されたたばこＣを支承する。回転体１２は、厚みがほぼたばこＣの外径寸法と実質的に同一寸法に形成され、支承体１４との間には殆ど隙間がない。従って、たばこＣは回転体１２の回転により支承体１４の上面に接しながら回転するようになっている。
【００２６】
支承体１４は、例えば図５に示すように、時計方向に向かって外径が二段階で小さくなり、外径が小さくなった部分からたばこＣの灰が支承体１４から落ちるように形成されている。即ち、支承体１４は、図５に示すように、例えば図面上の最下点からほぼ中心角２４０°の範囲では回転体１２の外径と実質的に同一径に形成され、ほぼ２４０°からほぼ３００°の範囲では外径が例えば１５％ほど小さな第１縮小径部１４Ａとして形成され、ほぼ３００°からほぼ３３０°の範囲では例えば３０％ほど小さな第２縮小径部１４Ｂとして形成されている。更に、支承体１４の第２縮小径部１４Ｂの時計方向の隣にはほぼ矩形状の切欠き部１４Ｃが形成されている。
【００２７】
回転体１２の間欠的な回転によりたばこＣが第１、第２縮小径部１４Ａ、１４Ｂに達すると、回転体１２のそれぞれの停止位置でたばこＣの燃焼により発生した灰がそれぞれの縮小径部１４Ａ、１４Ｂから支持板１８上に配置された灰受け２４（図８参照）内に落ちるようにしてある。また、切欠き部１４Ｃでは後述のようにたばこＣの葉の燃焼により残ったフィルタが灰受け２４内に落ちるようにしてある。支承板１４は、図１の（ｂ）、図３及び図５に示すように３箇所のロッド２５を介して支持板１８に連結、固定されている。尚、図５にはロッド２５を固定するネジ孔２５Ａが記載されている。
【００２８】
たばこ収納容器１１から更に１２０°時計方向へ回転した位置には、図１の（ａ）に示すようにたばこ着火装置１５が配置されている。このたばこ着火装置１５は、図７の（ａ）〜（ｃ）に示すように、加熱部１５Ａ１を有する移動体１５Ａと、移動体１５Ａの下部に形成された隣接する一対の貫通孔を貫通する一対のガイドロッド１５Ｂ１を有するガイド機構１５Ｂと、移動体１５Ａと対向し且つ移動体１５Ａに連結されたプランジャ１５Ｃ１を有する電磁コイル１５Ｃと、を備え、電磁コイル１５Ｃの働きでプランジャ１５Ｃ１を介して移動体１５Ａがガイドロッド１５Ｂ１に従って往復し、加熱部１５Ａ１によってたばこＣを着火するように構成されている。
【００２９】
灰受け２４は、図８の（ａ）に示すように、平面形状がほぼＪ字状に形成され、支承体１４の第１、第２縮小径部１４Ａ、１４Ｂからの灰を受ける第１、第２室２４Ａ、２４Ｂと、切欠き部１４Ｃからフィルタを受ける第３室２４Ｃとからなっている。第１、第２、第３室２４Ａ、２４Ｂ、２４Ｃには水が溜められている。
【００３０】
また、図１の（ａ）、（ｂ）に示すように支持台２０の載置板２０Ｂにはファン１６に隣接するフィルタ除去装置２６が設けられている。フィルタ除去装置２６は、加圧空気の流入口、加圧空気の流路及び加圧空気の流出口を有して構成されている。図１の（ａ）に矢印で示すようにフィルタ除去装置２６の流入口に加圧空気が流入すると、加圧空気が内部の流路を経由して流出口から配管（図示せず）を経由して同図の（ａ）、（ｂ）に示すように支承板１４の切欠き部１４Ｃで支承されるたばこＣのフィルタに向けて吹き付けられ、フィルタが支承体１４から灰受け２４の第３室２４Ｃ内へ吹き落とされるようになっている。
【００３１】
次いで、煙発生装置１０の動作について説明する。まず、煙発生装置１０を所定の場所に移動させた後、たばこ収納容器１１内にたばこＣを装填する。次いで、駆動機構１３の駆動源１３１を駆動させると、駆動軸１３２を介してゼネバギヤ１３３が駆動し、従動軸１３４を介して回転体１２が間欠的に６０°ずつ時計方向にゆっくり回転する。ゼネバギヤ１３３は以下のようにして回転体１２を間欠的に６０°ずつ回転させる。
【００３２】
即ち、ゼネバギヤ１３３が駆動軸１３２を介して駆動すると、図４の（ａ）に示すように原動車１３３Ａが矢印Ａ方向、つまり反時計方向に回転する。この際、原動車１３３Ａのローラ１３３Ａ１が従動車１３３Ｂのローラ用スリット１３３Ｂ１内に嵌入し、ローラ１３３Ａ１が実線位置から仮想線位置まで回転すると、これに伴って従動軸１３３Ｂが矢印Ｂ方向、つまり時計方向へ６０°だけ回転した後、原動車１３３Ａの円弧状突起１３３Ａ２が従動車１３３Ｂの切欠き部１３３Ｂ３に差し掛かる。その後、原動車１３３Ａが反時計方向へ回転しても円弧状突起１３３Ａ２が切欠き部１３３Ｂ３を摺動するだけで従動車１３３Ｂは停止したままである。そして、原動車１３３Ａのローラ１３３Ａ１がローラ用スリット１３３Ｂ２に嵌入すると、従動車１３３Ｂが上述のように回転し始める。原動車１３３Ａが一回転する度に従動車１３３Ｂが上述のように６０°ずつ回転する。
【００３３】
煙発生装置１０が駆動すると、たばこＣがたばこ収納容器１１から回転体１２のスリット１２Ａ内に自然落下しスリット１２Ａ内にたばこＣを収納される。スリット１２Ａ内のたばこＣは、ゼネバギヤ１３３を介して支承体１４上で６０°ずつ回転し、１２０°回転した時点でたばこ着火装置１５に達する。この位置で原動車１３３Ａの円弧状突起１３３Ａ２が従動車１３３Ｂの切欠き部１３３Ｂ３を摺動し、従動車１３３Ａが停止する。この間、たばこ着火装置１５の電磁コイル１５Ｃが駆動して移動体１５Ａが図７の（ｂ）に矢印で示すようにたばこＣ側に移動してたばこＣをスリット１２Ａ内でその内端面まで押し込んで停止し、加熱部１５Ａ１によってたばこＣを着火する。その後、移動体１５Ａが電磁コイル１５Ｃを介して元の位置へ戻る。
【００３４】
たばこＣが着火されると、たばこＣが煙を発生しながら回転体１２が６０°ずつ回転して燃えるたばこＣを収納したスリット１２Ａが支承体１４の第１縮小径部１４Ａに到達する。この位置ではたばこＣの一部が燃えて縮小径部１４Ａからはみ出している灰が灰受け２４の第１室２４Ａ内に落ちる。更に、回転体１２が６０°回転しスリット１２Ａが支承体１４の第２縮小径部１４Ｂに到達する。この位置ではたばこＣが更に燃えて縮小径部１４Ｂからはみ出している灰が灰受け２４の第２室２４Ｂ内に落ちる。引き続き、回転体１２が６０°回転しスリット１２Ａが支承体１４の切欠き部１４Ｃに到達し、回転体１２が停止する。この位置ではたばこＣが燃え尽きてフィルタのみが残っている。そこで、フィルタ除去装置２６が駆動して加圧空気をフィルタに吹き付け、フィルタを支承体１４の切欠き部１４Ｃから灰受け２４の第３室２４Ｃ内に吹き落とす。
【００３５】
スリット１２Ａからフィルタが除去されてスリット１２Ａ内が空になる。回転体１２の回転により空になったスリット１２Ａがたばこ収納容器１１の真下に達するとたばこＣが自然落下してスリット１２Ａ内をたばこＣで埋め、上述の動作を繰り返して煙を発生させ、所定の空気清浄機の煙の除去性能試験に供される。
【００３６】
以上説明したように本実施形態によれば、煙発生装置１０は、たばこ収納容器１１と、たばこ収納容器１１から１本ずつ自然落下するたばこＣが嵌るスリット１２Ａを複数有する回転体１２と、回転体１２を６０°ずつ間欠的に回転させる駆動機構１３と、回転体１２のスリット１２ＡのたばこＣを支承する支承体１４と、スリット１２Ａがたばこ収納容器１１から１２０°だけ回転した位置でスリット１２Ａ内のたばこＣを着火するたばこ着火装置１５と、たばこＣ内に空気を吸入し煙を外部へ排出するファン１６と、を備えているため、たばこ収納容器１１からたばこＣを自然落下させるたけで回転体１２のスリット１２Ａ内にたばこＣを自動供給することができ、従来のように複雑なたばこＣの供給装置やたばこＣの保持手段を必要とせず、装置か簡素化し、装置の製造コストを低減することができる。
【００３７】
また、たばこＣのフィルタに加圧空気を吹き付けて支承体１４から灰受けに落下させるフィルタ除去装置２６を備えているため、フィルタ除去装置２６を簡素化することができ、延いては製造コストをさらに低減することができる。また、スリット１２Ａを被う被覆体２２を設けたため、たばこＣをスリット１２Ａからはみ出させることなく完全に燃焼させることができる。
【００３８】
尚、本発明は、上記実施形態に何ら制限されるものではなく、本願発明の要旨に反しない限り、必要に応じて適宜設計変更をすることができる。
【符号の説明】
【００３９】
１０    たばこの煙発生装置
１１    たばこ収納容器
１２    回転体
１２Ａ  スリット
１２Ｂ  中央凹部
１２Ｃ  流路
１３    駆動機構
１４    支承体
１４Ａ、１４Ｂ  縮小径部  
１５    たばこ着火装置
１５Ａ１  加熱部
１６    ファン（空気吸排装置）
２６    フィルタ除去装置
【図１】
2018132419.tif 000003
【図２】
2018132419.tif 000004
【図３】
2018132419.tif 000005
【図４】
2018132419.tif 000006
【図５】
2018132419.tif 000007
【図６】
2018132419.tif 000008
【図７】
2018132419.tif 000009
【図８】
2018132419.tif 000010